(57)【要約】【課題】初対面であっても安心、かつ、スムーズに待ち合わせ時刻に待ち合わせ場所で会うことができる待ち合わせ補助システムを提供する。【解決手段】待ち合わせ補助システム１００は、待ち合わせ場所における現在の時刻がインターネットサイト（１１０）において予め設定された待ち合わせ時刻の第１所定時間前になったか否かを判定する所定時間前判定手段（１１０）と、第１チャットユーザーの端末（１２０）の現在地情報および第２チャットユーザーの端末（１４０）の現在地情報の一方をチャット用サーバ１５０を介して他方である相手の端末にそれぞれ通知する位置情報通知手段（１１０）とを備え、所定時間前判定手段が待ち合わせ時刻の第１所定時間前になったと判定したとき、位置情報通知手段が、第１チャットユーザーの端末の現在地情報および第２チャットユーザーの端末の現在地情報を相手の端末にそれぞれ通知する構成である。【選択図】図１
2019003359.tif 000002
【特許請求の範囲】
【請求項１】
インターネットサイトにおいてチャットでやり取りをする関係である第１チャットユーザーと第２チャットユーザーとの待ち合わせ場所における待ち合わせを補助する待ち合わせ補助システムであって、
前記待ち合わせ場所における現在の時刻が前記インターネットサイトにおいて予め設定された待ち合わせ時刻の第１所定時間前になったか否かを判定する所定時間前判定手段と、
前記第１チャットユーザーの端末の現在地情報をチャット用サーバを介して第２チャットユーザーの端末に通知するとともに第２チャットユーザーの端末の現在地情報をチャット用サーバを介して第１チャットユーザーの端末に通知する位置情報通知手段とを備え、
前記所定時間前判定手段が前記待ち合わせ時刻の第１所定時間前になったと判定したとき、前記位置情報通知手段が、前記第１チャットユーザーの端末の現在地情報および第２チャットユーザーの端末の現在地情報の一方をチャット用サーバを介して他方である相手の端末にそれぞれ通知する構成であることを特徴とする待ち合わせ補助システム。
【発明の詳細な説明】
【技術分野】
【０００１】
本発明は、インターネットサイトにおいてチャットでやり取りをする関係である第１チャットユーザーと、第２チャットユーザーとの待ち合わせ場所における待ち合わせを補助する待ち合わせ補助システムに関する。
【背景技術】
【０００２】
従来、自分の方に向かってくる待ち合わせ相手を早く見つけるための手間を少なくするために、第１ユーザに力覚を感じさせる力を発生させる第１装置の位置を目的地とする第２ユーザの移動の状況を表す情報を取得する取得手段と、取得された前記情報が表す移動の状況が条件を満たした場合に、前記第２ユーザがやってくる方向を示す力覚を感じさせる第１の力を発生させるように前記第１装置を制御する第１制御手段とを備えるシステムが知られている（例えば、特許文献１）。
【先行技術文献】
【特許文献】
【０００３】
【特許文献１】特開２０１６−９５１５３号公報（特に段落０００５参照）
【発明の概要】
【発明が解決しようとする課題】
【０００４】
しかしながら、上述した従来のシステムは、待ち合わせ相手が自分の方に向かってくることを前提としており、面識のない相手と待ち合わせる場合、相手が自分の方に向かってくるとは限らず、安心、かつ、スムーズに待ち合わせ時刻に待ち合わせ場所で会うことが困難であるという問題があった。
【０００５】
そこで、本発明は、前述したような従来技術の問題を解決するものであって、すなわち、本発明の目的は、初対面であっても安心、かつ、スムーズに待ち合わせ時刻に待ち合わせ場所で会うことができる待ち合わせ補助システムを提供することである。
【課題を解決するための手段】
【０００６】
本請求項１に係る発明は、インターネットサイトにおいてチャットでやり取りをする関係である第１チャットユーザーと第２チャットユーザーとの待ち合わせ場所における待ち合わせを補助する待ち合わせ補助システムであって、前記待ち合わせ場所における現在の時刻が前記インターネットサイトにおいて予め設定された待ち合わせ時刻の第１所定時間前になったか否かを判定する所定時間前判定手段と、前記第１チャットユーザーの端末の現在地情報をチャット用サーバを介して第２チャットユーザーの端末に通知するとともに第２チャットユーザーの端末の現在地情報をチャット用サーバを介して第１チャットユーザーの端末に通知する位置情報通知手段とを備え、前記所定時間前判定手段が前記待ち合わせ時刻の第１所定時間前になったと判定したとき、前記位置情報通知手段が、前記第１チャットユーザーの端末の現在地情報および第２チャットユーザーの端末の現在地情報の一方をチャット用サーバを介して他方である相手の端末にそれぞれ通知する構成であることにより、前述した課題を解決するものである。
【発明の効果】
【０００７】
本発明の待ち合わせ補助システムは、第１チャットユーザーと第２チャットユーザーとがチャットでやり取りをする所定のインターネットサイトを有していることにより、第１チャットユーザーと第２チャットユーザーとに対して待ち合わせ場所を通知することができるばかりでなく、以下のような特有の効果を奏することができる。
【０００８】
本請求項１に係る発明の待ち合わせ補助システムによれば、待ち合わせ時刻の第１所定時間前になったときに第１チャットユーザーの端末および第２チャットユーザーの端末にそれぞれ相手の端末の現在地情報が表示されるため、第１チャットユーザーおよび第２チャットユーザーは待ち合わせ時刻前にそれぞれ相手の位置を知ることができ、初対面であっても安心、かつ、スムーズに待ち合わせ時刻に待ち合わせ場所で会うことができる。
さらに、それぞれ相手の端末の現在地情報がI/Oの結果を待たずに処理を進めるチャット用サーバを介して送信され、それぞれ相手の端末の現在地情報が自己の端末にすぐに表示されるため、第１チャットユーザーおよび第２チャットユーザーはすぐに相手の現在地情報を知ることができる。
つまり、それぞれ相手の端末の現在地情報が殆どタイムラグなしに表示されるため、相手の現在地を正確に知ることができる。
【図面の簡単な説明】
【０００９】
【図１】本発明の実施例である待ち合わせ補助システムを示す概念図。
【図２】（Ａ）（Ｂ）は本発明の実施例であるマッチングサイトおよびチャット画面を示す図。
【図３】本発明の実施例である待ち合わせ補助システムを示すチャート図。
【図４】本発明の実施例であるスマートフォン端末の動作を説明する図。
【図５】本発明の実施例であるスマートフォン端末の動作を説明する図。
【発明を実施するための形態】
【００１０】
本発明の待ち合わせ補助システムは、インターネットサイトにおいてチャットでやり取りをする関係である第１チャットユーザーと第２チャットユーザーとの待ち合わせ場所における待ち合わせを補助する待ち合わせ補助システムであって、待ち合わせ場所における現在の時刻がインターネットサイトにおいて予め設定された待ち合わせ時刻の第１所定時間前になったか否かを判定する所定時間前判定手段と、第１チャットユーザーの端末の現在地情報をチャット用サーバを介して第２チャットユーザーの端末に通知するとともに第２チャットユーザーの端末の現在地情報をチャット用サーバを介して第１チャットユーザーの端末に通知する位置情報通知手段とを備え、所定時間前判定手段が待ち合わせ時刻の第１所定時間前になったと判定したとき、位置情報通知手段が、第１チャットユーザーの端末の現在地情報および第２チャットユーザーの端末の現在地情報の一方をチャット用サーバを介して他方である相手の端末にそれぞれ通知する構成であることにより、第１チャットユーザーおよび第２チャットユーザーは待ち合わせ時刻前にそれぞれ相手の位置を知ることができ、初対面であっても安心、かつ、スムーズに待ち合わせ時刻に待ち合わせ場所で会うことができるものであれば、その具体的な実施態様は、如何なるものであっても構わない。
【００１１】
例えば、第１チャットユーザーおよび第２チャットユーザーの端末は、現在地情報を取得してインターネット接続自在で、かつ、チャット用サーバを介してチャットデータを通信自在なものであれば、パーソナルコンピュータ端末、タブレット端末、携帯電話端末、スマートフォン端末など、如何なるものであっても構わない。
また、所定時間前判定手段および位置情報通知手段は、第１チャットユーザーおよび第２チャットユーザーの端末、インターネットサイト、チャット用サーバ、インターネットサイト用サーバのいずれに設けられていてもよい。
さらに、チャット用サーバは、インターネットサイトを提供するインターネットサイト用サーバと一体の構成でもよいし、別体の構成でもよい。
【実施例】
【００１２】
以下に、本発明の実施例である待ち合わせ補助システム１００について、図１乃至図５に基づいて説明する。
ここで、図１は、本発明の実施例である待ち合わせ補助システム１００を示す概念図であり、図２（Ａ）は、本発明の実施例であるマッチングサイト１１０を示す図であり、図２（Ｂ）は、本発明の実施例であるチャット画面１１２を示す図であり、図３は、本発明の実施例である待ち合わせ補助システム１００を示すチャート図であり、図４は、サービス提供者Ａのスマートフォン端末１２０と参加者Ｂのスマートフォン端末１４０との間の距離が変化したときの一方のスマートフォン端末１４０の動作を説明する図であり、図５は、サービス提供者Ａのスマートフォン端末１２０および参加者Ｂのスマートフォン端末１４０の一方のスマートフォン端末１２０の位置に対して他方のスマートフォン端末１４０の水平方向の姿勢を変化させたときの他方のスマートフォン端末１４０の動作を説明する図である。
【００１３】
本発明の実施例である待ち合わせ補助システム１００は、インターネットサイトにおいてチャットでやり取りをする関係である第１チャットユーザーと第２チャットユーザーとの待ち合わせ場所における待ち合わせを補助するものである。
待ち合わせ補助システム１００は、図１に示すように、第１チャットユーザーの端末の一例であるスマートフォン端末１２０およびパーソナルコンピュータ端末１３０と、第２チャットユーザーの端末の一例であるスマートフォン端末１４０と、チャット用サーバ１５０と、インターネットサイトのＵＲＬ先であるインターネットサイト用サーバ１６０とを備えている。
【００１４】
本実施例では、インターネットサイトは、所謂、シェアリングエコノミー関連であり、例えば、観光地や名所で写真やビデオを撮影したりするサービス提供者と、そのサービス提供者の催しに参加したい参加者とのマッチングサービスを提供するマッチングサイト１１０である。
第１チャットユーザーがサービス提供者であり、第２チャットユーザーが参加者であるとして以下に説明する。
【００１５】
サービス提供者および参加者は、マッチングサイト１１０にメールアドレスなどを登録した会員である。
これにより、マッチングサイト１１０において会員ユーザーとして特定される。
そして、サービス提供者のスマートフォン端末１２０、パーソナルコンピュータ端末１３０、参加者のスマートフォン端末１４０は、それぞれインターネットサイト用サーバ１６０にアクセスしてマッチングサイト１１０を表示することができるように構成されている。
【００１６】
図２（Ａ）に示すマッチングサイト１１０には、サービス提供者の催し内容についての情報、参加者についての情報、サービス提供者についての評価、参加者についての評価などが記載されている。
サービス提供者の催しが、行毎に記載されているとする。
そして、例えば、サービス提供者Ａの２０１７年６月２４日予定の催しに、参加者Ｂが申し込んでいるとする。
そのサービス提供者Ａおよび参加者Ｂが、その行のチャットルームボタン１１１を押すと、図２（Ｂ）に示すチャット画面１１２が、サービス提供者のスマートフォン端末１２０、パーソナルコンピュータ端末１３０、参加者のスマートフォン端末１４０に表示されるように構成されている。
【００１７】
サービス提供者Ａのスマートフォン端末１２０、パーソナルコンピュータ端末１３０に表示されたチャット画面１１２において入力されたチャットデータは、チャット用サーバ１５０を介して参加者Ｂのスマートフォン端末１４０へ送信される。
ここで、チャット用サーバ１５０は、I/Oの結果を待たずに処理を進める構成であり、所謂、プッシュ通知でチャットデータが相手先のスマートフォン端末１２０、１４０、パーソナルコンピュータ端末１３０などに送信される。
【００１８】
同様に、参加者Ｂのスマートフォン端末１４０に表示されたチャット画面１１２において入力されたチャットデータは、チャット用サーバ１５０を介してサービス提供者Ａのスマートフォン端末１２０、パーソナルコンピュータ端末１３０へ送信される。
サービス提供者Ａのスマートフォン端末１２０および参加者Ｂのスマートフォン端末１４０は、グローバル・ポジショニング・システム（ＧＰＳ）機能（現在地検出手段）を有している。
そのため、それぞれ自己のスマートフォン端末１２０、１４０についての現在地情報を取得することができる。
【００１９】
本実施例では、待ち合わせ補助システム１００が、所定時間前判定手段と、位置情報通知手段とを備えている。
このうち、所定時間前判定手段は、待ち合わせ場所における現在の時刻がマッチングサイト１１０において予め設定された待ち合わせ時刻の第１所定時間前になったか否かを判定するように構成されている。
【００２０】
また、位置情報通知手段は、サービス提供者Ａのスマートフォン端末１２０の現在地情報をチャット用サーバ１５０を介して参加者Ｂのスマートフォン端末１４０に通知するとともに参加者Ｂのスマートフォン端末１４０の現在地情報をチャット用サーバ１５０を介してサービス提供者Ａのスマートフォン端末１２０に通知するように構成されている。
ここで、所定時間前判定手段、位置情報通知手段は、サービス提供者Ａのスマートフォン端末１２０および参加者Ｂのスマートフォン端末１４０、インターネットサイトであるマッチングサイト１１０、チャット用サーバ１５０、インターネットサイト用サーバ１６０のいずれに設けられていてもよい。
【００２１】
さらに、所定時間前判定手段が待ち合わせ時刻の第１所定時間前になったと判定したとき、位置情報通知手段が、サービス提供者Ａのスマートフォン端末１２０の現在地情報および参加者Ｂのスマートフォン端末１４０の現在地情報の一方をチャット用サーバ１５０を介して他方である相手のスマートフォン端末１２０、１４０にそれぞれ通知するように構成されている。
【００２２】
具体的には、図３に示すように、ステップＳ１では、所定時間前判定手段が、待ち合わせ時刻の第１所定時間前になったか否かを判定する。
例えば、待ち合わせ時刻が２０１７年６月２４日１７：３０であり、第１所定時間が３０分であるとする。
この場合、待ち合わせ場所の現地の現在の時刻が、待ち合わせ時刻１７：３０の第１所定時間３０分前である１７：００になったか否かを所定時間前判定手段が判定する。
１７：００になったと判定した場合はステップＳ２へ進み、他方、否と判定した場合はステップＳ１を繰り返す。
【００２３】
ステップＳ２では、位置情報通知手段が、サービス提供者Ａのスマートフォン端末１２０の現在地情報をチャット用サーバ１５０を介して参加者Ｂのスマートフォン端末１４０へ送信する。
同様に、位置情報通知手段が、参加者Ｂのスマートフォン端末１４０の現在地情報をチャット用サーバ１５０を介してサービス提供者Ａのスマートフォン端末１２０へ送信してステップＳ３へ進む。
【００２４】
これにより、待ち合わせ時刻１７：３０の第１所定時間３０分前である１７：００になったときに、サービス提供者Ａのスマートフォン端末１２０および参加者Ｂのスマートフォン端末１４０に、それぞれ相手のスマートフォン端末１２０、１４０の現在地情報が表示される。
つまり、お互いのスマートフォン端末１２０、１４０の現在地情報が共有される。
その結果、サービス提供者Ａおよび参加者Ｂは待ち合わせ時刻１７：３０の前にそれぞれ相手の位置を知ることができ、初対面であっても安心、かつ、スムーズに待ち合わせ時刻１７：３０に待ち合わせ場所で会うことができる。
【００２５】
さらに、それぞれ相手のスマートフォン端末１２０、１４０の現在地情報がI/Oの結果を待たずに処理を進めるチャット用サーバ１５０を介して送信され、それぞれ相手のスマートフォン端末１２０、１４０の現在地情報が自己のスマートフォン端末１２０、１４０にすぐに表示される。
その結果、サービス提供者Ａおよび参加者Ｂはすぐに相手の現在地情報を知ることができる。
つまり、それぞれ相手のスマートフォン端末１２０、１４０の現在地情報が殆どタイムラグなしに表示されるため、相手の現在地を正確に知ることができる。
【００２６】
なお、それぞれのスマートフォン端末１２０、１４０の現在地情報の取得については、位置情報通知手段が自動でそれぞれのスマートフォン端末１２０、１４０から取得する構成としてもよいし、それぞれのスマートフォン端末１２０、１４０へ「現在地情報を送信してください！」の旨のメッセージを送信して、サービス提供者Ａおよび参加者Ｂに送信操作を促して両者の操作によって取得する構成としてもよい。
また、スマートフォン端末１２０、１４０の現在地情報をマッチングサイト１１０のサーバであるインターネットサイト用サーバ１６０へ送信させてからチャット用サーバ１５０を介してそれぞれ相手のスマートフォン端末１２０、１４０に送信するように構成してもよい。
【００２７】
ステップＳ３では、位置情報通知手段が、前回の現在地情報を送信時から第２所定時間経過したか否かを判定する。
例えば、第２所定時間が３０秒であるとする。
この場合、前回１７時００分に現在地情報を送信したので、１７時００分００秒から３０秒経過して１７時００分３０秒になったか否かを判定する。
１７時００分３０秒になったと判定した場合はステップＳ４へ進み、他方、否と判定した場合はステップＳ３を繰り返す。
【００２８】
ステップＳ４では、位置情報通知手段が、サービス提供者Ａのスマートフォン端末１２０の新たな現在地情報をチャット用サーバ１５０を介して参加者Ｂのスマートフォン端末１４０へ送信する。
同様に、位置情報通知手段が、参加者Ｂのスマートフォン端末１４０の新たな現在地情報をチャット用サーバ１５０を介してサービス提供者Ａのスマートフォン端末１２０へ送信してステップＳ５へ進む。
【００２９】
これにより、お互いのスマートフォン端末１２０、１４０の現在地情報が更新され、待ち合わせ時刻１７時３０分００秒の第１所定時間３０分前である１７時００分００秒から両者のスマートフォン端末１２０、１４０にそれぞれ相手のスマートフォン端末１２０、１４０の現在地情報が、第２所定時間である３０秒毎に表示される。
その結果、サービス提供者Ａおよび参加者Ｂは、お互いに相手の最新の現在地を知り、互いに近づいているか否かを確認しながら、より安心、かつ、よりスムーズに会うことができる。
サービス提供者Ａのスマートフォン端末１２０および参加者Ｂのスマートフォン端末１４０には、マッチングサイト１１０のサービス提供者と参加者とが会えた旨のボタンが表示されている。
そして、サービス提供者Ａおよび参加者Ｂは、会えた旨のボタンを押す。
【００３０】
ステップＳ５では、サービス提供者Ａのスマートフォン端末１２０および参加者Ｂのスマートフォン端末１４０の少なくとも一方からサービス提供者Ａと参加者Ｂとが会えた旨の通知を受けたか否かを位置情報通知手段が判定する。
通知を受けたと判定した場合は、サービス提供者Ａのスマートフォン端末１２０および参加者Ｂのスマートフォン端末１４０の少なくとも一方への通知を停止して終了し、他方、否と判定した場合は、ステップＳ３へ戻って繰り返す。
【００３１】
これにより、待ち合わせ時刻１７時３０分００秒の第１所定時間３０分前である１７時００分００秒からサービス提供者Ａと参加者Ｂとが会うまでの間、両者のスマートフォン端末１２０、１４０にそれぞれ相手のスマートフォン端末１２０、１４０の現在地情報が、第２所定時間である３０秒毎に表示される。
その結果、サービス提供者Ａおよび参加者Ｂは、確実に会うことができる。
【００３２】
さらに、サービス提供者Ａが参加者Ｂと会えたことを、マッチングサイト１１０の管理者が確認することができる。
なお、サービス提供者Ａが参加者Ｂと会えたことを、マッチングサイト１１０の管理者がより確実に確認するために、サービス提供者Ａおよび参加者Ｂの両者から会えた旨のボタン操作による通知があることが望ましい。
そのために、両者のスマートフォン端末１２０、１４０のうち、会えた旨の通知がないものについては、通知があるまで、相手の現在地情報を通知し続ける構成とすることが望ましい。
【００３３】
また、本実施例では、待ち合わせ補助システム１００が、第３所定時間毎にサービス提供者Ａのスマートフォン端末１２０と参加者Ｂのスマートフォン端末１４０との間の距離が変化したか否かを判定する距離変化判定手段をさらに備えている。
距離変化判定手段は、一例として、サービス提供者Ａのスマートフォン端末１２０および参加者Ｂのスマートフォン端末１４０に設けられている。
なお、距離変化判定手段は、サービス提供者Ａのスマートフォン端末１２０および参加者Ｂのスマートフォン端末１４０、インターネットサイトであるマッチングサイト１１０、チャット用サーバ１５０、インターネットサイト用サーバ１６０のいずれに設けられていてもよい。
【００３４】
例えば、第３所定時間が３０秒であるとする。
距離変化判定手段は、第３所定時間として３０秒毎にサービス提供者Ａのスマートフォン端末１２０と参加者Ｂのスマートフォン端末１４０との間の距離が変化したか否かを判定する。
そして、図４に示すように、距離変化判定手段が、その距離について変化したと判定したとき、サービス提供者Ａのスマートフォン端末１２０および参加者Ｂのスマートフォン端末１４０にそれぞれ設けられたスピーカの音量・リズム、またはバイブレータの振動量・リズムが変化するように構成されている。
ここで、スピーカとバイブレータとを併用してもよいのは勿論である。
例えば、その距離が短くなるにしたがって、スピーカの音量を大きくしたり、音のリズムを早く（音の間隔を短く）したり、バイブレータの振動量を大きくしたり、振動のリズムを早く（振動の間隔を短く）すると、サービス提供者Ａおよび参加者Ｂはお互いに接近していることを理解しやすい。
【００３５】
これにより、その距離が変化すると、スピーカの音量・リズム、またはバイブレータの振動量・リズムが第３所定時間として３０秒毎に変化する。
その結果、サービス提供者Ａおよび参加者Ｂは自己のスマートフォン端末１２０、１４０の表示を見ずに自身の周囲を見て相手を探しながら安全に移動することができる。
つまり、サービス提供者Ａおよび参加者Ｂが自己のスマートフォン端末１２０、１４０の表示を直視しながら移動する所謂、危険行為を回避できる。
【００３６】
さらに、本実施例では、サービス提供者Ａのスマートフォン端末１２０および参加者Ｂのスマートフォン端末１４０が、方位測定手段を備えている。
そして、図５に示すように、サービス提供者Ａのスマートフォン端末１２０および参加者Ｂのスマートフォン端末１４０の一方である相手のスマートフォン端末１２０（１４０）の現在地情報に対して他方である自己のスマートフォン端末１４０（１２０）の向きが変化したとする。
すると、自己のスマートフォン端末１４０（１２０）に設けられた方位測定手段から得られる方位情報と、自己のスマートフォン端末１４０（１２０）の現在地情報と、相手のスマートフォン端末１２０（１４０）の現在地情報とに基づいて、自己のスマートフォン端末１４０（１２０）に設けられたスピーカの音量・リズム、またはバイブレータの振動量・リズムが変化するように構成されている。
ここで、スピーカとバイブレータとを併用してもよいのは勿論である。
【００３７】
例えば、水平方向において、自己のスマートフォン端末１４０（１２０）の先端側の指す方向と、自己のスマートフォン端末１４０（１２０）の現在地情報の位置から相手の現在地情報の位置の方向との成す角度が小さくなるにしたがって、スピーカの音量を大きくしたり、音のリズムを早く（音の間隔を短く）したり、バイブレータの振動量を大きくしたり、振動のリズムを早く（振動の間隔を短く）すると、サービス提供者Ａおよび参加者Ｂはお互いに相手がいる方向を理解しやすい。
【００３８】
これにより、相手のスマートフォン端末１２０（１４０）の現在地情報に対する自己のスマートフォン端末１４０（１２０）の向きが変化すると自己のスマートフォン端末１４０（１２０）に設けられたスピーカの音量・リズム、またはバイブレータの振動量・リズムが変化する。
その結果、サービス提供者Ａおよび参加者Ｂは自己のスマートフォン端末１２０、１４０の表示を見ずにスマートフォン端末１２０、１４０を自身の胸の前で持ちながら自身の周囲を見て安全に相手を探すことができる。
つまり、サービス提供者Ａおよび参加者Ｂが自己のスマートフォン端末１２０、１４０の表示を直視しながら移動する所謂、危険行為を回避できる。
【００３９】
なお、サービス提供者による催しが終了したとき、サービス提供者Ａのスマートフォン端末１２０および参加者Ｂのスマートフォン端末１４０に表示されたマッチングサイト１１０の催し終了の旨のボタンを押すと、サービス提供者Ａによる催しが終了したことを、マッチングサイト１１０の管理者が確認することができる。
サービス提供者Ａによる催しが終了したことを、マッチングサイト１１０の管理者がより確実に確認するために、サービス提供者Ａおよび参加者Ｂの両者から催し終了の旨のボタン操作による通知があることが望ましい。
【００４０】
そのために、両者のスマートフォン端末１２０、１４０のうち、一方のスマートフォン端末１４０のみから催し終了の旨の通知があった場合、他方のスマートフォン端末１２０へは、催し終了の旨のボタンを押すまで、確認を求める通知をし続ける構成とすることが望ましい。
催しが終了した後、サービス提供者Ａは、マッチングサイト１１０において、参加者Ｂについての評価をし、同様に、参加者Ｂは、マッチングサイト１１０において、サービス提供者Ａについての評価をする。
これにともに、マッチングサイト１１０の管理者によって決済が行われる。
【００４１】
このようにして得られた本発明の実施例である待ち合わせ補助システム１００は、インターネットサイトの一例であるサービス提供者と参加者とのマッチングサービスを提供するマッチングサイト１１０においてチャットでやり取りをする関係である第１チャットユーザーであるサービス提供者と第２チャットユーザーである参加者との待ち合わせ場所における待ち合わせを補助する待ち合わせ補助システム１００であって、待ち合わせ場所における現在の時刻がマッチングサイト１１０において予め設定された待ち合わせ時刻の第１所定時間前になったか否かを判定する所定時間前判定手段と、サービス提供者Ａのスマートフォン端末１２０の現在地情報をチャット用サーバ１５０を介して参加者Ｂのスマートフォン端末１４０に通知するとともに参加者Ｂのスマートフォン端末１４０の現在地情報をチャット用サーバ１５０を介してサービス提供者Ａのスマートフォン端末１２０に通知する位置情報通知手段とを備え、所定時間前判定手段が待ち合わせ時刻の第１所定時間前になったと判定したとき、位置情報通知手段が、サービス提供者Ａのスマートフォン端末１２０の現在地情報および参加者Ｂのスマートフォン端末１４０の現在地情報の一方をチャット用サーバ１５０を介して他方である相手のスマートフォン端末１２０、１４０にそれぞれ通知する構成であることにより、サービス提供者Ａおよび参加者Ｂは待ち合わせ時刻前にそれぞれ相手の位置を知ることができ、初対面であっても安心、かつ、スムーズに待ち合わせ時刻に待ち合わせ場所で会うことができるなど、その効果は甚大である。
【符号の説明】
【００４２】
１００  ・・・  待ち合わせ補助システム
１１０  ・・・  マッチングサイト（所定時間前判定手段、位置情報通知手段）
１１１  ・・・  チャットルームボタン
１１２  ・・・  チャット画面
１２０  ・・・  サービス提供者Ａのスマートフォン端末（距離変化判定手段、方位測定手段）
１３０  ・・・  サービス提供者Ａのパーソナルコンピュータ端末
１４０  ・・・  参加者Ｂのスマートフォン端末（距離変化判定手段、方位測定手段）
１５０  ・・・  チャット用サーバ
１６０  ・・・  インターネットサイト用サーバ
【図１】
2019003359.tif 000003
【図２】
2019003359.tif 000004
【図３】
2019003359.tif 000005
【図４】
2019003359.tif 000006
【図５】
2019003359.tif 000007